(57)【要約】  電子レンジ空洞と、電子レンジ空洞に黒体放射による熱を輻射するように配置されたワイヤメッシュ加熱体と、 マイクロ波を発生するマグネトロンとを備えるワイヤメッシュ加熱体併設電子レンジであって、発生したマイクロ波の一部がワイヤメッシュ加熱体に当たる。【選択図】図１
2017535034.tif 000002
【特許請求の範囲】
【請求項１】
電子レンジ空洞と、
前記電子レンジ空洞に黒体放射による熱を輻射するように配置されたワイヤメッシュ加熱体と、
マイクロ波を発生するマグネトロンと、を備え、
発生したマイクロ波の一部がワイヤメッシュ加熱体に当たる
ことを特徴とするワイヤメッシュ加熱体併設電子レンジ。
【請求項２】
前記ワイヤメッシュ加熱体と電気的に接続された電源フィルタをさらに備え、
前記電源フィルタは、前記ワイヤメッシュ加熱体に当たるマイクロ波エネルギーを除去する
ことを特徴とする、請求項１に記載のワイヤメッシュ加熱体併設電子レンジ。
【請求項３】
前記ワイヤメッシュ加熱体と電気的に接続された高電力電源をさらに備える
ことを特徴とする、請求項１に記載のワイヤメッシュ加熱体併設電子レンジ。
【請求項４】
前記高電力電源は、前記ワイヤメッシュ加熱体に低電圧・高電流の直流を供給する
ことを特徴とする、請求項３に記載のワイヤメッシュ加熱体併設電子レンジ。
【請求項５】
前記高電力電源は、
直流電源と、
前記直流電源を前記ワイヤメッシュ加熱体に電気的に接続する撚り線ケーブルと、を備える
ことを特徴とする、請求項３に記載のワイヤメッシュ加熱体併設電子レンジ。
【請求項６】
前記高電力電源は、エネルギー伝送の持続時間を変化させること、エネルギー伝送の振幅を変化させること、またはそれらの組み合わせを行なうことができる複数のパルスによって電気エネルギーを供給する
ことを特徴とする、請求項３に記載のワイヤメッシュ加熱体併設電子レンジ。
【請求項７】
前記高電力電源は、前記マグネトロンおよび前記ワイヤメッシュ加熱体に同時にエネルギーを供給する
ことを特徴とする、請求項３に記載のワイヤメッシュ加熱体併設電子レンジ。
【請求項８】
前記高電力電源は、前記マグネトロンにエネルギーを供給した後に前記ワイヤメッシュ加熱体にエネルギーを供給する
ことを特徴とする、請求項３に記載のワイヤメッシュ加熱体併設電子レンジ。
【請求項９】
前記電子レンジ空洞に配置され、前記ワイヤメッシュ加熱体を電源に電気的に接続する導体をさらに備える
ことを特徴とする、請求項１に記載のワイヤメッシュ加熱体併設電子レンジ。
【請求項１０】
前記電子レンジ空洞の側壁に開口部をさらに備え、
前記導体は、前記開口部を介して前記側壁を横断するとともに、前記開口部は、マイクロ波が前記開口部を通って漏洩するのを防ぐために遮蔽されている
ことを特徴とする、請求項９に記載のワイヤメッシュ加熱体併設電子レンジ。
【請求項１１】
前記開口部は、３６０度に亘って覆うパッキン押さえで遮蔽されている
ことを特徴とする、請求項９に記載のワイヤメッシュ加熱体併設電子レンジ。
【請求項１２】
前記導体を前記電子レンジ空洞の前記側壁に固定する締め具をさらに備える
ことを特徴とする、請求項９に記載のワイヤメッシュ加熱体併設電子レンジ。
【請求項１３】
電源と電気的に接触する二次導体をさらに備え、
前記ワイヤメッシュ加熱体が、前記二次導体に固定される
ことを特徴とする、請求項１に記載のワイヤメッシュ加熱体併設電子レンジ。
【請求項１４】
前記ワイヤメッシュ加熱体がたるまないようにする張力装置をさらに備える
ことを特徴とする、請求項１に記載のワイヤメッシュ加熱体併設電子レンジ。
【請求項１５】
前記電子レンジ空洞に配置された熱シールドをさらに備え、
前記電子レンジ空洞は側壁によって画定されるとともに、前記熱シールドは前記側壁の隣に配置されて前記ワイヤメッシュ加熱体によって発生した輻射熱の大部分を前記側壁から離れたところに反射する
ことを特徴とする、請求項１に記載のワイヤメッシュ加熱体併設電子レンジ。
【請求項１６】
前記電子レンジ空洞は側壁によって画定されるとともに、前記ワイヤメッシュ加熱体は前記側壁に対して平行な位置同士または直交する位置同士で移動可能である
ことを特徴とする、請求項１に記載のワイヤメッシュ加熱体併設電子レンジ。
【請求項１７】
前記ワイヤメッシュ加熱体は、その中に複数の円形または楕円形の開口部を備える
ことを特徴とする、請求項１に記載のワイヤメッシュ加熱体併設電子レンジ。
【請求項１８】
前記ワイヤメッシュ加熱体を通過する気流を発生させて前記気流を加熱するファンをさらに備え、
加熱された前記気流は前記電子レンジ空洞に導入される
ことを特徴とする、請求項１に記載のワイヤメッシュ加熱体併設電子レンジ。
【請求項１９】
前記電子レンジ空洞で前記ワイヤメッシュ加熱体を覆うように配置された吸気口と、
前記吸気口から空気を引き込み、気流を発生させるファンと、
前記電子レンジ空洞で前記ワイヤメッシュ加熱体の下方に配置された排気口と、をさらに備え、
前記気流は前記ワイヤメッシュ加熱体で加熱される
ことを特徴とする、請求項１に記載のワイヤメッシュ加熱体併設電子レンジ。
【請求項２０】
前記前記電子レンジ空洞に配置されて被加熱物を支えるスタンドをさらに備え、
前記スタンドは前記ワイヤメッシュ加熱体に対して移動可能である
ことを特徴とする、請求項１に記載のワイヤメッシュ加熱体併設電子レンジ。
【請求項２１】
第一載置板および第二載置板をさらに備え、
前記ワイヤメッシュ加熱体は前記第一載置板と前記第二載置板との間に配置され、前記第一載置板は熱伝導体であるとともに電気的絶縁体である材料を含み、前記ワイヤメッシュ加熱体は前記第一載置板が被加熱物の方を向くように前記電子レンジ空洞に配置される
ことを特徴とする、請求項１に記載のワイヤメッシュ加熱体併設電子レンジ。
【請求項２２】
前記第二載置板は、熱絶縁体であるとともに電気的絶縁体である材料を含む
ことを特徴とする、請求項２１に記載のワイヤメッシュ加熱体併設電子レンジ。
【請求項２３】
前記第一載置板または前記第二載置板は、シリコン、ガラス、セラミックなどのうちの一つ以上を含む
ことを特徴とする、請求項２１に記載のワイヤメッシュ加熱体併設電子レンジ。
【請求項２４】
前記第一載置板には、被加熱物を支える面がある
ことを特徴とする、請求項２１に記載のワイヤメッシュ加熱体併設電子レンジ。
【請求項２５】
前記第二載置板に配置されて、前記電子レンジ空洞で回転するように調整されるキャスターを備える
ことを特徴とする、請求項２１に記載のワイヤメッシュ加熱体併設電子レンジ。
【発明の詳細な説明】
【技術分野】
【０００１】
本開示は、ワイヤメッシュ加熱体による加熱と高速加熱機器用のマイクロ波発生器（マグネトロン）の使用とが可能になる、ワイヤメッシュ加熱体併設電子レンジを教示するものである。 具体的に言うと、本装置は、主として物の外部を加熱するために黒体放射による熱を輻射するワイヤメッシュ加熱体と、主として物の内部を加熱するためにマイクロ波を放射するマグネトロンと、を備える。 黒体は、固体の伝導、流体（液体または気体）の対流、または輻射電磁波が通過可能な物を介した輻射のいずれかによって熱を伝達する。
【背景技術】
【０００２】
従来技術では、マイクロ波の漏洩や、電流漏れや、ワイヤメッシュへのマイクロ波の影響や、マイクロ波がワイヤメッシュに衝突する際に火花が発生して危険であるなどの理由で、電子レンジ空洞に配置された物に黒体放射による熱を輻射するワイヤメッシュ加熱体を設けることは困難である。
【発明の概要】
【０００３】
本教示は、様々な利点をもたらすことができる、加熱装置および加熱方法の複数の実施形態とそれらの特徴とを提供するものである。本装置は、電極や装置や操作などを複数採用することによって、本明細書に開示される数々の装置および方法を安全に、効率的に、効果的に使用することを促進できる。
【０００４】
本教示は、電子レンジ空洞と、前記電子レンジ空洞に黒体放射による熱を輻射するように配置されたワイヤメッシュ加熱体と、マイクロ波を発生するマグネトロンと、を備え、発生したマイクロ波の一部がワイヤメッシュ加熱体に当たる、ワイヤメッシュ加熱体併設電子レンジを開示するものである。
【０００５】
本教示は、側壁によって画定された電子レンジ空洞と、前記電子レンジ空洞に黒体放射による熱を輻射するように配置されたワイヤメッシュ加熱体と、前記ワイヤメッシュ加熱体に衝突するマイクロ波を発生するマグネトロンと、電磁エネルギーをシールドされた開口部を介して前記側壁を横断する導体と、を備えるワイヤメッシュ加熱体併設電子レンジを開示する。
【０００６】
本教示は、マグネトロンと、非接触領域とワイヤメッシュ加熱体の長辺の少なくとも５０％に沿った接触領域とを含む面領域を有するワイヤメッシュ加熱体と、前記ワイヤメッシュ加熱体と電気的に接触する導体と、前記ワイヤメッシュ加熱体の少なくとも一つの端部に結合された弾性断熱材と、前記弾性断熱材を固定する締め具と、を備え、前記接触領域は前記導体に接触し、前記弾性断熱材は前記ワイヤメッシュ加熱体の作動に先立って張力によって伸ばされピンと張った状態で前記締め具に固定され、前記ワイヤメッシュ加熱体の動作中は前記弾性断熱材が張力によって前記ワイヤメッシュ加熱体をピンと張った状態のまま保持する、ワイヤメッシュ加熱体併設電子レンジを開示する。
【０００７】
前記した一般的な記載内容と以下に記す詳細な説明は共に代表的で説明的なものであって、特許請求の範囲に記載された本発明をさらに詳しく説明するためのものである。
【図面の簡単な説明】
【０００８】
添付の図面は、本発明をさらによく理解できるようにするために用意され本明細書に組み込まれて本明細書の一部を構成するものであって、本発明の複数の実施形態を分かりやすく説明し、記載内容と併せて本発明の原理を説明する役割を果たす。
【図１】様々な実施形態に係る、ワイヤメッシュ加熱体が電子レンジ空洞に配置されたワイヤメッシュ加熱体併設電子レンジの斜視図である。
【図２】様々な実施形態に係る、電子レンジ空洞の側壁を貫通する導体の概略図である。
【図３】電子レンジ空洞の側壁に固定されたワイヤメッシュ加熱体の概略図である。
【図４Ａ】様々な実施形態に係るワイヤメッシュ加熱体アセンブリの論理図である。
【図４Ｂ】様々な実施形態に係るワイヤメッシュ加熱体アセンブリの論理図である。
【図５Ａ】様々な実施形態に係るワイヤメッシュ加熱体併設電子レンジの斜視図である。
【図５Ｂ】様々な実施形態に係るワイヤメッシュ加熱体併設電子レンジの斜視図である。
【図６Ａ】様々な実施形態に係る、空気ダクトを備えたワイヤメッシュ加熱体併設電子レンジの斜視図である。
【図６Ｂ】様々な実施形態に係る、空気ダクトを備えたワイヤメッシュ加熱体併設電子レンジの切欠きの斜視図である。
【図６Ｃ】様々な実施形態に係る、空気ダクトを備えたワイヤメッシュ加熱体アセンブリの斜視図である。
【図６Ｄ】様々な実施形態に係る、空気ダクトを備えたワイヤメッシュ加熱体アセンブリの斜視図である。
【図７Ａ】様々な実施形態に係る、空気ダクトを備えたワイヤメッシュ加熱体アセンブリの斜視図である。
【図７Ｂ】様々な実施形態に係る、空気ダクトを備えたワイヤメッシュ加熱体アセンブリの斜視図である。
【図８Ａ】様々な実施形態に係る、電子レンジ空洞の底面近くに配置されたワイヤメッシュ加熱体アセンブリを備えるワイヤメッシュ加熱体併設電子レンジの斜視図である。
【図８Ｂ】様々な実施形態に係る、電子レンジ空洞の底面近くに配置されたワイヤメッシュ加熱体アセンブリを備えるワイヤメッシュ加熱体併設電子レンジの斜視図である。
【図８Ｃ】様々な実施形態に係るワイヤメッシュ加熱体併設電子レンジの斜視図である。
【図８Ｄ】様々な実施形態に係るワイヤメッシュ加熱体アセンブリの上部と下部の斜視図である。
【図９Ａ】様々な実施形態に係る、電子レンジ空洞の底面に平行に配置されたワイヤメッシュ加熱体アセンブリを備えるワイヤメッシュ加熱体併設電子レンジの斜視図である。
【図９Ｂ】様々な実施形態に係る、電子レンジ空洞の底面に直交して配置されたワイヤメッシュ加熱体アセンブリを備えるワイヤメッシュ加熱体併設電子レンジの斜視図である。
【図９Ｃ】様々な実施形態に係る、電子レンジ空洞の底面およびその中に配置されるラックに平行に配置されたワイヤメッシュ加熱体アセンブリを備えるワイヤメッシュ加熱体併設電子レンジの斜視図である。
【図９Ｄ】様々な実施形態に係る、電子レンジ空洞の底面およびその中に配置されるトレイに直交して配置されたワイヤメッシュ加熱体アセンブリを備えるワイヤメッシュ加熱体併設電子レンジの斜視図である。
【図１０Ａ】様々な実施形態に係る、電子レンジ空洞の底面に直交して配置されたワイヤメッシュ加熱体アセンブリを備えるワイヤメッシュ加熱体併設電子レンジの斜視図である。
【図１０Ｂ】様々な実施形態に係る、電子レンジ空洞の底面に直交して配置されたワイヤメッシュ加熱体アセンブリを備えるワイヤメッシュ加熱体併設電子レンジの斜視図である。
【図１１Ａ】様々な実施形態に係る、空気ダクトを備えたワイヤメッシュ加熱体アセンブリの斜視図である。
【図１１Ｂ】様々な実施形態に係る、空気ダクトを備えたワイヤメッシュ加熱体アセンブリの斜視図である。
【０００９】
図面および詳細な説明を通して、特に記載しない限り、同じ図面参照番号は、当然のことながら、同じ要素、特徴、および構造を指す。 これらの要素の相対的な大きさおよび描写は、明確さ、説明のし易さ、および利便性のために誇張される場合がある。
【発明を実施するための形態】
【００１０】
本教示は、電気エネルギーをワイヤメッシュ加熱体に効率的に伝送することを開示する。代表的な実施形態では、この伝送は、ワイヤメッシュの幅や長さの全体にわたって均等に分散される。こうすれば、ワイヤメッシュに生じる応力を低減するとともに、電気エネルギー伝送中に発生する熱も低減することができる。本教示は、電気エネルギー伝送中に発生するあらゆる熱を均等に分配することができる。加熱を低減し、および／または、熱をより均一に分散させることによって、ワイヤメッシュ加熱体の平均故障時間を伸ばすことができる。
【００１１】
本教示は、高温で半連続的または連続的に動作する加熱体装置を開示する。また、本教示は、加熱体全体が平らな状態を保つように、使用中にはワイヤメッシュ加熱体に一定の張力をかけることを開示する。また、本教示は、加熱空洞で半連続モードまたは連続モードで動作することができ、容易に交換することができるワイヤメッシュ加熱体を開示する。
【００１２】
代表的な実施形態において、ワイヤメッシュ加熱体アセンブリは、ワイヤメッシュ加熱体に直接取り付けられる一次導体と、電流が流れることができる、二次導体つまり一次導体を固定するホルダーとを備えてもよい。いくつかの実施形態において、一次導体は一次伝導ロッドまたは電極を備えてもよい。
【００１３】
様々な実施形態によれば、一次導体は、連続していても、全体的にまたは部分的にセグメント化されてもよい。一次導体は、ワイヤメッシュ加熱体の長辺に接触してもよい。
【００１４】
二次導体は、動作中にワイヤメッシュ加熱体を引っ張ったり、伸ばしたり、ピンと張ったままにしたりしてもよい。いくつかの実施形態において、二次導体は、動作中のワイヤメッシュ加熱体に調整可能な張力を与えることができる。二次導体は、一次導体の把持および解放を容易にするために、複数の引張り点、熱シールド保護、ラッチなどを備えてもよい。
【００１５】
代表的な実施形態において、電気エネルギー源は、可撓性または可動性の電気的接続によって、一次導体に接続してもよい。可撓性または可動性の電気的接続には、二次導体に取り付けられた撚り線または入れ子状に伸縮する管も含むことができる。
【００１６】
代表的な実施形態において、ワイヤメッシュ加熱体は、ワイヤメッシュ布を含んでもよい。代表的な実施形態において、ワイヤメッシュ加熱体は、撚り線によって画定される開口部と撚り線を交差させるワイヤを含んでよい。代表的な実施形態において、ワイヤメッシュ加熱体には、有孔金属シートが含まれてもよい。
【００１７】
代表的な実施形態において、ワイヤメッシュ加熱体は、マイクロ波放射に曝されるワイヤメッシュの少なくとも一つの領域のために湾曲オリフィス開口部のみを含むように形成されてもよい。代表的な実施形態において、ワイヤメッシュは、円形または楕円形の開口部を含んでもよい。例えば、ワイヤメッシュ加熱体は、円形または楕円形の穴を有する金属シートを穿孔することによって形成してもよい。代表的な実施形態において、ワイヤメッシュは、直径０.０２０インチで、中心が、それぞれ、互いに０.０４３インチだけずれている穴／開口部を備えてもよい。例えば、このようなワイヤメッシュでは、ワイヤメッシュを貫通する開口面積は２０％になる。
【００１８】
図１は、様々な実施形態に係る、ワイヤメッシュ加熱体併設電子レンジの斜視図である。
ワイヤメッシュ加熱体併設電子レンジ１００は、ワイヤメッシュ加熱体１０２と、マグネトロン１０４と、ワイヤメッシュ加熱体１０２に電力を供給するＡＣ−ＤＣコンバータまたは高電力電源１０６と、被加熱物を収容する電子レンジ空洞１０８と、電子レンジ空洞１０８を画定する側壁１１０と、操作パネル１１６と、公益事業などのエネルギー生産者から電気エネルギーを受け取る電力線１１４とを備える。
【００１９】
ワイヤメッシュ加熱体１０２は、マグネトロン１０４から放射されたマイクロ波がワイヤメッシュ加熱体１０２に当たる電子レンジ空洞１０８内に配置することができる。いくつかの実施形態において、電子レンジ空洞１０８内には一つのワイヤメッシュ加熱体１０２のみを配置してもよい。マグネトロン１０４およびワイヤメッシュ加熱体１０２は、選択したいいずれか一方または両方を同時に作動することができる。ワイヤメッシュ加熱体併設電子レンジ１００のユーザは、操作パネル１１６を利用してワイヤメッシュ加熱体併設電子レンジ１００を所望通りに操作することができる。複数の導体（図２参照）が側壁１１０を貫通してもよい。代表的な実施形態において、少なくとも一つのワイヤメッシュ加熱体１０２は、電子レンジ空洞１０８の内部に、または、電子レンジ空洞１０８に隣接して配置することができる。いくつかの実施形態において、ワイヤメッシュ加熱体１０２を電子レンジ空洞１０８に配置し、被加熱物に黒体放射による熱を輻射することができるようにしている。
【００２０】
代表的な実施形態において、電子レンジ空洞１０８の側壁１１０は、ファラデーケージまたはファラデーシールドの役割を果たしてもよい。ファラデーケージまたはファラデーシールドは、導電性材料またはそのような材料で作った網によって形成される筺体である。このような筺体は、当該網に沿ってその周りに、しかし中には通さずに、電気を流すことによって、外部静電界および外部非静電界をブロックし、筺体のすべての側面に一定の電圧を提供する。電圧差は電位の尺度であるので、電流が空洞を流れることはない。代表的な実施形態において、電子レンジ空洞１０８の側壁１１０は、ワイヤメッシュ加熱体１０２によって発生した輻射熱を反射させる反射体シールドの役割を果たしてもよい。
【００２１】
いくつかの実施形態において、高電力電源１０６は、蓄積エネルギー装置１１２を備えてもよい。交流電力線の容量を超える電力は、蓄積エネルギー装置１１２によって提供することができる。マイクロ波コントローラ（図示せず）は、ユーザの要望に応じてマグネトロン１０４、ワイヤメッシュ加熱体１０２、またはその両方に通電することによって、ワイヤメッシュ加熱体併設電子レンジ１００を要望に応じて操作することができる。ユーザの要望に応じて当該動作を行なうために、マイクロ波コントローラは、ワイヤメッシュ加熱体１０２への電気エネルギーの伝送をパルス化してもよい。ワイヤメッシュ加熱体１０２への電気エネルギーのパルス伝送には、エネルギー伝送の持続時間を変化させること、エネルギー伝送の振幅を変化させること、またはそれらの組み合わせが含まれる。いくつかの実施形態において、マイクロ波コントローラは、ワイヤメッシュ加熱体１０２に伝送される電気エネルギーの強度を制御することができる。
【００２２】
図２は、様々な実施形態に係る、電子レンジ空洞の側壁を貫通する導体の概略図である。
電子レンジ空洞２１８の側壁２１６は、導体２０８、２１０の通路となる、つまり、導体２０８、２１０によって貫通されてもよい。導体２０８、２１０は、電圧源２１４からワイヤメッシュ加熱体２１２に通電することができる。側壁２１６の通過点つまり貫通する点において、導体２０８、２１０は、遮蔽用パッキン押さえまたは遮蔽用コネクタ２０４、例えば、全周囲を覆うパッキン押さえまたはコネクタによって取り囲まれてもよい。いくつかの実施形態において、導体２０８、２１０を、例えば直流電源フィルタによってフィルタリングすることによって、側壁２１６を介し導体２０８、２１０によって伝導されるマイクロ波を除去し、電子レンジ空洞２１８からのマイクロ波の漏洩や漏れ電流を抑制することができる。ワイヤメッシュ加熱体２１２は、溶接部などを介して導体２０８、２１０に固定されてもよい。導体２０８、２１０は、矢印２２２によって示される方向に回転可能であってもよい。導体２０８、２１０の一部は、電子レンジ空洞２１８内でのみ回転可能であってもよい。導体２０８、２１０が回転することによって、ワイヤメッシュ加熱体２１２を張力がかかった状態に保つことができる。
【００２３】
代表的な実施形態において、ファラデーケージ２０２を備えてもよい。ファラデーケージ２０２は、遮蔽用パッキン押さえまたは遮蔽用コネクタ２０４が側壁２１６およびファラデーケージ２０２によって画定された空隙内に配置されるように設けてもよい。
【００２４】
図３は、電子レンジ空洞の側壁に固定されたワイヤメッシュ加熱体の概略図である。
ワイヤメッシュ加熱体併設電子レンジ３００は、側壁３０８によって画定される電子レンジ空洞３０２を備えてもよい。ワイヤメッシュ加熱体３１２は、電子レンジ空洞３０２に配置される。ワイヤメッシュ加熱体３１２は、導体３０４、３０６と電気的に接触した状態で配置される。留め具３１０は、電子レンジ空洞３０２の側壁３０８の中に配置されてもよい。留め具３１０は、ワイヤメッシュ３１２をピンと張った状態に保つことができる張力装置であってもよい。いくつかの実施形態において、ワイヤメッシュ加熱体３１２は、ワイヤメッシュ加熱体３１２の一つ以上の端部に沿って配置された、シリコンなどの張力部材３１４を有してもよい。留め具３１０は、張力部材３１４に固定されてワイヤメッシュ加熱体３１２をピンと張った状態に保つことができる。ワイヤメッシュ加熱体３１２は、たるみ防止のために、キー溝の付いた曲がり棒など（図示せず）を備えてもよい。
【００２５】
図４Ａは、様々な実施形態に係るワイヤメッシュ加熱体アセンブリの論理図である。
図４Ｂは、様々な実施形態に係るワイヤメッシュ加熱体アセンブリの拡大論理図である。
ワイヤメッシュ加熱体アセンブリ４００は、ワイヤメッシュ加熱体４０２と、弾性部材４０４とを備えてもよい。ワイヤメッシュ加熱体アセンブリ４００は、二次導体４１０（図４Ｂ参照）を備えてもよい。弾性部材４０４は、ワイヤメッシュ加熱体４０２の一つ以上の端部に固定、締結、または接合されて、屈曲可能な閉ループ４３０を形成することができる。弾性部材４０４は、ファスナ、ボルトやナット等の締結具（図示せず）を用いて、ワイヤメッシュ加熱体４０２の一つ以上の端部に締め付け固定されてもよい。弾性部材４０４は、端部のうち一つを弾性部材４０４に埋め込むことによって、ワイヤメッシュ加熱体４０２の一つ以上の端部に固定または接合されてもよい。いくつかの実施形態において、弾性部材は、弾性部材４０４の縁部のうち一つを、例えば、ナット／ボルトやリベット等で固定するプレートなどの固定締結具で固定することによって、ワイヤメッシュ加熱体４０２の一つ以上の端部に固定または接合されてもよい。閉ループ４３０は、二つの導体４０６、４０８の一方から他方まで覆うように配置されて、二つの導体４０６、４０８（一次導体）の間に加熱ゾーン４２６を提供することができる。代表的な実施形態において、二次導体４１０は、二つの導体４０６、４０８のうちの一つ以上と接触する。二つの導体４０６、４０８は、スイッチ（図示せず）と直列の電圧源（図示せず）によって通電することができる。電圧源は、直流電圧源であってもよい。
【００２６】
弾性部材４０４は、高温に耐えることができる弾力性のある材料、例えばシリコンであってもよい。ワイヤメッシュ加熱体４０２は、二次導体４１０に固定または締結されてもよい。 二次導体４１０は、二つの導体４０６、４０８のうちの一つ以上を覆うように移動可能に配置されて、ワイヤメッシュ加熱体４０２と二つの導体４０６、４０８のうちの一つ以上との間の高性能な電気的接触を可能にする。いくつかの実施形態において、はんだ付け、カシメ、溶接などを用いてワイヤメッシュ加熱体４０２を二次導体４１０に固定してもよい。ワイヤメッシュ加熱体アセンブリ４００は、張力がかかって（ピンと張って）いる状態で、二つの導体４０６、４０８の一方から他方まで覆うように配置することができる。いくつかの実施形態において、二つの導体４０６、４０８は、ホルダー４４２に移動不能に固定されてもよい。いくつかの実施形態において、二つの導体４０６、４０８のうちの一方は移動可能にホルダー４４２に固定される一方、二つの導体４０６、４０８のうちの他方は移動不能にホルダー４４２に固定されてもよい。熱シールド４４４が、加熱ゾーン４２６と弾性部材４０４との間に配置されてもよい。代表的な実施形態において、熱シールド４４４はガラスであってもよい。代表的な実施形態において、熱シールドは、二つの導体４０６、４０８のスロット４１２内に固定されてもよい。 
【００２７】
図５Ａは、様々な実施形態に係るワイヤメッシュ加熱体併設電子レンジの斜視図である。
図５Ｂは、様々な実施形態に係るワイヤメッシュ加熱体併設電子レンジの斜視図である。
ワイヤメッシュ加熱体併設電子レンジ５００は、一つ以上の一次導体５０２を含むワイヤメッシュ加熱体サブアセンブリ５１４と、熱シールド５０６とを備えてもよい。ワイヤメッシュ加熱体サブアセンブリ５１４は、ワイヤメッシュ加熱体併設電子レンジ５００の壁または側壁５１６に固定してもよい。フランジまたはコネクタ５０４を、一つ以上の主導体５０２の周りに配置することができる。フランジまたはコネクタ５０４を使って、電子レンジ空洞５１２からのマイクロ波の漏れを防止することができる。電子レンジ空洞５１２は、少なくとも部分的に、側壁５１６によって画定することができる。薄膜絶縁体（図示せず）をフランジまたはコネクタ５０４と側壁５１６との間に配置することもできる。いくつかの実施形態において、ワイヤメッシュ加熱体併設電子レンジ５００の側壁は、トレイを載せて回転させるターンテーブル５３０を備えてもよい。熱シールド５２４を一つ以上の導体５０２の間に配置してもよい。いくつかの実施形態において、ワッシャ５１０の後ろの開口部を使用して、第二ワイヤメッシュ加熱体サブアセンブリを固定してもよい。
【００２８】
図５Ｂに示すように、ワイヤメッシュ加熱体併設電子レンジ５００は、ワイヤメッシュ加熱体５２２と、一つ以上の導体５０２の周囲に配置された二次導体５１８とを備えてもよい。弾性部材５２０を、ワイヤメッシュ加熱体５２２の一つ以上の端部に固定、締結、または接合して、曲げ可能な閉ループを形成してもよい。弾性部材５２０は、ボルトとナットなどの締結具（図示せず）を使用して、ワイヤメッシュ加熱体５２２の一つ以上の端部に固定してもよい。弾性部材５２０は、端部の一つを弾性部材５２０に埋め込むことによって、ワイヤメッシュ加熱体５２２の一つ以上の端部に固定または接合してもよい。いくつかの実施形態において、弾性部材５２０は、弾性部材５２０の縁部の一つを固定ナット／ボルトやリベット等で固定するプレートのような締結具で固定することによって、ワイヤメッシュ加熱体５２２の一つ以上の端部に固定または接合してもよい。閉ループを導体５０２を覆うように配置して、二つの導体５０２（一次導体）の間に加熱ゾーンを提供してもよい。代表的な実施形態において、二次導体５１８は、二つの導体５０２の一つ以上と接触する。二つの導体５０２は、スイッチ（図示せず）と直列の電圧源（図示せず）から通電することができる。電圧源は、直流電圧源であってもよい。代表的な実施形態において、直流電圧源は交流電力線に接続されていてもよい。 交流電力線を使用して、バッテリやキャパシタなどのエネルギー蓄積装置を充電してもよい。 直流電圧源は、ワイヤメッシュ加熱体５２２に通電する際に、交流電力線、エネルギー貯蔵装置、または別の直流電圧源から、単独でまたは組み合わせて、電力を引き出してもよい。
【００２９】
弾性部材５２０は、高温に耐えることができる弾力性のある材料、例えばシリコンであってもよい。ワイヤメッシュ加熱体５２２は、二次導体５１８に固定または締結してもよい。二次導体５１８を、二つの導体５０２の一つ以上を覆うように移動可能に配置して、ワイヤメッシュ加熱体５２２と二つの導体５０２の一つ以上との間に高性能な電気的接触を提供してもよい。いくつかの実施形態において、はんだ付け、カシメ、溶接などを使用して、ワイヤメッシュ加熱体５２２を二次導体５１８に固定してもよい。ワイヤメッシュ加熱体５２２は、弾性部材５２０の助けを借りて張力がかかって（ピンと張って）いる状態で二つの導体５０２の一方から他方まで覆うように配置することができる。いくつかの実施形態において、二つの導体５０２は、側壁５１６に移動不能に固定してもよい。いくつかの実施形態において、二つの導体５０２のうちの一方は、ワイヤメッシュ加熱体サブアセンブリ５１４内に移動可能に固定し、 二つの導体５０２のうちの他方は、ワイヤメッシュ加熱体サブアセンブリ５１４内に移動不能に固定してもよい。熱シールド５２４を、ワイヤメッシュ加熱体５２２（ワイヤメッシュ加熱体５２２の加熱された部分）と弾性部材５２０との間に配置してもよい。代表的な実施形態において、熱シールド５２４は、ガラス、例えば、高温環境で使用するのに適したガラス、つまり、強化ガラスであってもよい。代表的な実施形態において、熱シールド５２４の端部は、二つの導体５０２によって固定されるか、または、二つの導体５０２の中に配置されてもよい。  
【００３０】
ターンテーブル５３０を中心にしてその周りに円板またはトレイ５３２が配置されてもよい。ワイヤメッシュ加熱体併設電子レンジ５００は、電子レンジ扉５３６を固定するためにラッチ５３４を使用してもよい。ラッチ５３４は、電子レンジ扉５３６が閉じられていないとワイヤメッシュ加熱体併設電子レンジ５００の動作を禁止するフェイルセーフスイッチを組み込んでもよい。
【００３１】
図６Ａは、様々な実施形態に係る、空気ダクトを備えたワイヤメッシュ加熱体併設電子レンジの斜視図である。
図６Ｂは、様々な実施形態に係る、空気ダクトを備えたワイヤメッシュ加熱体併設電子レンジの切欠きの斜視図である。
図６Ｃは、様々な実施形態に係る、空気ダクトを備えたワイヤメッシュ加熱体アセンブリの斜視図である。
図６Ｄは、様々な実施形態に係る、空気ダクトを備えたワイヤメッシュ加熱体アセンブリの斜視図である。
いくつかの実施形態において、ワイヤメッシュ加熱体併設電子レンジ６００は、ワイヤメッシュ加熱体アセンブリ６０２と、制御パネル６０３とを備えてもよい。ワイヤメッシュ加熱体併設電子レンジ６００は、電子レンジ空洞６０５を備えてもよい。図６Ｂの切欠きと図６Ｃに示すように、ワイヤメッシュ加熱体併設電子レンジ６００は、空気のような流体がワイヤメッシュ加熱体６０６を覆うように移動させることによって対流熱を提供してもよい。すると、ワイヤメッシュ加熱体６０６による空気加熱が、被加熱物を覆うように周囲を流れることができる。空気ダクト６１２の吸気口６１４を使用して、電子レンジ空洞６０５から空気を吸入してもよい。空気ダクト６１２は、吸気を排気口６１６に運び、排気口６１６から吸気を排出することができる（図６Ｃ参照）。空気ダクト６１２内の空気の移動は、ファン６１０を介して容易に行なうことができる。排気口６１６を出た空気は、ワイヤメッシュ加熱体６０６を横切るかそれを覆うように通って分散され、電子レンジ空洞６０５に戻されて、被加熱物に当たってもよい。ワイヤメッシュ加熱体６０６は、一次導体６０４および二次導体６０８の一方から他方まで覆うように配置することができる。
【００３２】
図７Ａは、様々な実施形態に係る、空気ダクトを備えたワイヤメッシュ加熱体アセンブリの斜視図である。
図７Ｂは、様々な実施形態に係る、空気ダクトを備えたワイヤメッシュ加熱体アセンブリの斜視図である。
いくつかの実施形態において、ワイヤメッシュ加熱体アセンブリ７００は、ワイヤメッシュ加熱体７０２と、空気ダクト７１２と、吸気口７１４と、排気口（図示せず）と、ファン（図示せず）とを備えてもよい。
【００３３】
図８Ａは、様々な実施形態に係る、電子レンジ空洞の底面近くに配置されたワイヤメッシュ加熱体アセンブリを備えるワイヤメッシュ加熱体併設電子レンジの斜視図である。
図８Ｂは、様々な実施形態に係る、電子レンジ空洞の底面近くに配置されたワイヤメッシュ加熱体アセンブリを備えるワイヤメッシュ加熱体併設電子レンジの斜視図である。
図８Ｃは、様々な実施形態に係るワイヤメッシュ加熱体併設電子レンジの斜視図である。
図８Ｄは、様々な実施形態に係る、上部および下部ワイヤメッシュ加熱体アセンブリの斜視図である。
いくつかの実施形態において、ワイヤメッシュ加熱体併設電子レンジ８００は、その後ろにマグネトロン（図示せず）が配置されたマイクロ波出口８０２と、被加熱物が配置されたラック８０４と、下部ワイヤメッシュ加熱体アセンブリ８０６と、上部ワイヤメッシュ加熱体アセンブリ８０８と、電子レンジ空洞８１０と、下部ワイヤメッシュ加熱体アセンブリ８０６とそれ自体との間の距離を維持するように配置されたスタンド８１２とを備えてもよい。図８Ｃを参照すると、下部ワイヤメッシュ加熱体アセンブリ８０６の導体８２０は、電子レンジ空洞８１０の側壁８２４の外側に延在することができる。いくつかの実施形態において、上部ワイヤメッシュ加熱体アセンブリ８０８の導体８２２は、電子レンジ空洞８１０の側壁８２４の外側に延在することができる。
【００３４】
図９Ａは、様々な実施形態に係る、電子レンジ空洞の底面に平行に配置されたワイヤメッシュ加熱体アセンブリを備えるワイヤメッシュ加熱体併設電子レンジの斜視図である。
図９Ｂは、様々な実施形態に係る、電子レンジ空洞の底面に直交して配置されたワイヤメッシュ加熱体アセンブリを備えるワイヤメッシュ加熱体併設電子レンジの斜視図である。
図９Ｃは、様々な実施形態に係る、電子レンジ空洞の底面およびその中に配置されるラックに平行に配置されたワイヤメッシュ加熱体アセンブリを備えるワイヤメッシュ加熱体併設電子レンジの斜視図である。
図９Ｄは、様々な実施形態に係る、電子レンジ空洞の底面およびその中に配置されるトレイに直交して配置されたワイヤメッシュ加熱体アセンブリを備えるワイヤメッシュ加熱体併設電子レンジの斜視図である。
いくつかの実施形態において、ワイヤメッシュ加熱体併設電子レンジ９００は、底面９０４と、後ろにマグネトロン（図示せず）が配置されたマイクロ波出口９０８と、トレイ９０６と、ワイヤメッシュ加熱体アセンブリ９０２と、電子レンジ空洞９１０と、スタンド９１２とを備えてもよい。図９Ｂに示すように、ある構成では、ワイヤメッシュ加熱体併設電子レンジ９００のワイヤメッシュ加熱体アセンブリ９０２が、電子レンジ空洞９１０の底面９０４に直交して配置されてもよい。図９Ｃに示すように、ある構成では、スタンド９１２を電子レンジ空洞９１０内に配置して、電子レンジ空洞９１０の底面９０４に対して水平に配置されたワイヤメッシュ加熱体アセンブリ９０２とスタンド９１２との間の距離を維持してもよい。図９Ｄに示すように、ある構成では、ワイヤメッシュ加熱体併設電子レンジ９００のワイヤメッシュ加熱体アセンブリ９０２を、電子レンジ空洞９１０の底面９０４およびその中に配置されるトレイ９０６に直交して配置してもよい。
【００３５】
図１０Ａは、様々な実施形態に係る、電子レンジ空洞の底面に直交して配置されたワイヤメッシュ加熱体アセンブリを備えるワイヤメッシュ加熱体併設電子レンジの斜視図である。
図１０Ｂは、様々な実施形態に係る、電子レンジ空洞の底面に直交して配置されたワイヤメッシュ加熱体アセンブリを備えるワイヤメッシュ加熱体併設電子レンジの斜視図である。
図１０Ａは、電子レンジ空洞の底面に直交して配置されたワイヤメッシュ加熱体アセンブリ１００２を備えるワイヤメッシュ加熱体併設電子レンジ１０００を示す。ワイヤメッシュ加熱体は、ヒンジ／ピボット１００６を中心として回転自在であり、留め金１００４をロック位置にすると直交位置にロックされる。図１０Ｂは、留め金１００４をロック解除位置にした状態を示す。留め金１００４がロック解除位置にあると、ワイヤメッシュ加熱体アセンブリ１００２は、電子レンジ空洞の底面に平行な状態にすることができる。
【００３６】
図１１Ａは、様々な実施形態に係る、空気ダクトを備えたワイヤメッシュ加熱体アセンブリの斜視図である。
図１１Ｂは、様々な実施形態に係る、空気ダクトを備えたワイヤメッシュ加熱体アセンブリの斜視図である。
いくつかの実施形態において、ワイヤメッシュ加熱体アセンブリ１１００は、ワイヤメッシュ加熱体１１０２と、空気ダクト１１１２（図１１Ｂ参照）と、吸気口１１１４と、排気口１１０４と、ファン１１０６とを備えてもよい。代表的な実施形態において、ファン１１０６を作動させて空気ダクト１１１２に空気を引き込み、ワイヤメッシュ加熱体１１０２の内側／外側に空気を引き込んでもよい。空気ダクト１１１２に引き込まれた空気は、一つ以上の排気口１１０４から排出することができる。代表的な実施形態において、一つ以上の排気口１１０４がスタンド１１１６の下方に空気を排出し、スタンド１１１６上に置かれた物（図示せず）の下面を加熱してもよい。代表的な実施形態において、一つ以上の排気口１１０４が空気を排出し、スタンド１１１６上に置かれた物（図示せず）の側面を加熱してもよい。代表的な実施形態において、一つ以上の排気口１１０４が空気を排出し、スタンド１１１６上に置かれた物（図示せず）の上面を加熱してもよい。代表的な実施形態において、一つ以上の排気口１１０４が一つ以上のノズルを介して空気を排出し、スタンド１１１６上の物（図示せず）に当たる、ジェット気流のような気流を発生させてもよい。
【００３７】
本明細書に提示された実施例は、潜在的かつ具体的な実施形態を説明することを意図している。これらの実施例は、主として当業者にとって分かりやすく説明するためのものであることが理解されよう。本明細書に示した図は、ほんの一例として提供してある。本発明の精神から逸脱することなく、これらの図または本明細書に記載された操作に複数の変形例があり得る。例えば、ある場合には、方法の各ステップまたは各操作を異なる順序で実行することができ、または、各操作には追加・削除・変更が可能である。
【図１】
2017535034.tif 000003
【図２】
2017535034.tif 000004
【図３】
2017535034.tif 000005
【図４Ａ】
2017535034.tif 000006
【図４Ｂ】
2017535034.tif 000007
【図５Ａ】
2017535034.tif 000008
【図５Ｂ】
2017535034.tif 000009
【図６Ａ】
2017535034.tif 000010
【図６Ｂ】
2017535034.tif 000011
【図６Ｃ】
2017535034.tif 000012
【図６Ｄ】
2017535034.tif 000013
【図７Ａ】
2017535034.tif 000014
【図７Ｂ】
2017535034.tif 000015
【図８Ａ】
2017535034.tif 000016
【図８Ｂ】
2017535034.tif 000017
【図８Ｃ】
2017535034.tif 000018
【図８Ｄ】
2017535034.tif 000019
【図９Ａ】
2017535034.tif 000020
【図９Ｂ】
2017535034.tif 000021
【図９Ｃ】
2017535034.tif 000022
【図９Ｄ】
2017535034.tif 000023
【図１０Ａ】
2017535034.tif 000024
【図１０Ｂ】
2017535034.tif 000025
【図１１Ａ】
2017535034.tif 000026
【図１１Ｂ】
2017535034.tif 000027
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
電子レンジ空洞と、
前記電子レンジ空洞に黒体放射による熱を輻射するように配置されたワイヤメッシュ加熱体と、
マイクロ波を発生するマグネトロンと、
前記電子レンジ空洞に配置され、前記ワイヤメッシュ加熱体を電源に電気的に接続する導体と、を備え、
生成されたマイクロ波の一部がワイヤメッシュ加熱体に当たる
ことを特徴とするワイヤメッシュ加熱体併設電子レンジ。
【請求項２】
前記ワイヤメッシュ加熱体と電気的に接続された電源フィルタをさらに備え、
前記電源フィルタは、前記ワイヤメッシュ加熱体に当たるマイクロ波エネルギーを除去する
ことを特徴とする、請求項１に記載のワイヤメッシュ加熱体併設電子レンジ。
【請求項３】
前記ワイヤメッシュ加熱体と電気的に接続された高電力電源をさらに備える
ことを特徴とする、請求項１に記載のワイヤメッシュ加熱体併設電子レンジ。
【請求項４】
前記高電力電源は、前記ワイヤメッシュ加熱体に低電圧・高電流の直流を供給する
ことを特徴とする、請求項３に記載のワイヤメッシュ加熱体併設電子レンジ。
【請求項５】
前記高電力電源は、
直流電源と、
前記直流電源を前記ワイヤメッシュ加熱体に電気的に接続する撚り線ケーブルと、を備える
ことを特徴とする、請求項３に記載のワイヤメッシュ加熱体併設電子レンジ。
【請求項６】
前記高電力電源は、エネルギー伝送の持続時間を変化させること、エネルギー伝送の振幅を変化させること、またはそれらの組み合わせを含む複数のパルスによって電気エネルギーを供給する
ことを特徴とする、請求項３に記載のワイヤメッシュ加熱体併設電子レンジ。
【請求項７】
前記高電力電源は、前記マグネトロンおよび前記ワイヤメッシュ加熱体に同時にエネルギーを供給する
ことを特徴とする、請求項３に記載のワイヤメッシュ加熱体併設電子レンジ。
【請求項８】
前記高電力電源は、前記マグネトロンにエネルギーを供給した後に前記ワイヤメッシュ加熱体にエネルギーを供給する
ことを特徴とする、請求項３に記載のワイヤメッシュ加熱体併設電子レンジ。
【請求項９】
前記電子レンジ空洞の側壁に開口部をさらに備え、
前記導体は、前記開口部を介して前記側壁を横断するとともに、前記開口部は、マイクロ波が前記開口部を通って漏洩するのを防ぐために遮蔽されている
ことを特徴とする、請求項１に記載のワイヤメッシュ加熱体併設電子レンジ。
【請求項１０】
前記開口部は、３６０度に亘って覆うパッキン押さえで遮蔽されている
ことを特徴とする、請求項１に記載のワイヤメッシュ加熱体併設電子レンジ。
【請求項１１】
前記導体を前記電子レンジ空洞の前記側壁に固定する締め具をさらに備える
ことを特徴とする、請求項１に記載のワイヤメッシュ加熱体併設電子レンジ。
【請求項１２】
電源と電気的に接触する二次導体をさらに備え、
前記ワイヤメッシュ加熱体が、前記二次導体に固定される
ことを特徴とする、請求項１に記載のワイヤメッシュ加熱体併設電子レンジ。
【請求項１３】
前記ワイヤメッシュ加熱体がたるまないようにする張力装置をさらに備える
ことを特徴とする、請求項１に記載のワイヤメッシュ加熱体併設電子レンジ。
【請求項１４】
前記電子レンジ空洞に配置された熱シールドをさらに備え、
前記電子レンジ空洞は側壁によって画定されるとともに、前記熱シールドは前記側壁の隣に配置されて前記ワイヤメッシュ加熱体によって発生した熱放射の大部分を前記側壁から離れたところに反射する
ことを特徴とする、請求項１に記載のワイヤメッシュ加熱体併設電子レンジ。
【請求項１５】
前記電子レンジ空洞は側壁によって画定されるとともに、前記ワイヤメッシュ加熱体は前記側壁に対して平行な位置同士または直交する位置同士で移動可能である
ことを特徴とする、請求項１に記載のワイヤメッシュ加熱体併設電子レンジ。
【請求項１６】
前記ワイヤメッシュ加熱体は、その中に複数の円形または楕円形の開口部を備える
ことを特徴とする、請求項１に記載のワイヤメッシュ加熱体併設電子レンジ。
【請求項１７】
前記ワイヤメッシュ加熱体を通過する気流を発生させて前記気流を加熱するファンをさらに備え、
加熱された前記気流は前記電子レンジ空洞に導入される
ことを特徴とする、請求項１に記載のワイヤメッシュ加熱体併設電子レンジ。
【請求項１８】
電子レンジ空洞と、
前記電子レンジ空洞に黒体放射による熱を輻射するように配置されたワイヤメッシュ加熱体と、
マイクロ波を発生するマグネトロンと、
前記電子レンジ空洞で前記ワイヤメッシュ加熱体を覆うように配置された吸気口と、
前記吸気口から空気を引き込み、気流を発生させるファンと、
前記電子レンジ空洞で前記ワイヤメッシュ加熱体の下方に配置された排気口と、を備え、
前記気流は前記ワイヤメッシュ加熱体で加熱され、発生したマイクロ波の一部がワイヤメッシュ加熱体に当たる
ことを特徴とするワイヤメッシュ加熱体併設電子レンジ。
【請求項１９】
前記前記電子レンジ空洞に配置されて被加熱物を支えるスタンドをさらに備え、
前記スタンドは前記ワイヤメッシュ加熱体に対して移動可能である
ことを特徴とする、請求項１に記載のワイヤメッシュ加熱体併設電子レンジ。
【請求項２０】
電子レンジ空洞と、
前記電子レンジ空洞に黒体放射による熱を輻射するように配置されたワイヤメッシュ加熱体と、
マイクロ波を発生するマグネトロンと、
第一載置板および第二載置板と、を備え、
前記ワイヤメッシュ加熱体は前記第一載置板と前記第二載置板との間に配置され、前記第一載置板は熱伝導体であるとともに電気的絶縁体である材料を含み、前記ワイヤメッシュ加熱体は前記第一載置板が被加熱物の方を向くように前記電子レンジ空洞に配置され、
発生したマイクロ波の一部がワイヤメッシュ加熱体に当たる
ことを特徴とするワイヤメッシュ加熱体併設電子レンジ。
【請求項２１】
前記第二載置板は、熱絶縁体であるとともに電気的絶縁体である材料を含む
ことを特徴とする、請求項２０に記載のワイヤメッシュ加熱体併設電子レンジ。
【請求項２２】
前記第一載置板または前記第二載置板は、シリコン、ガラス、セラミックなどのうちの一つ以上を含む
ことを特徴とする、請求項２０に記載のワイヤメッシュ加熱体併設電子レンジ。
【請求項２３】
前記第一載置板には、被加熱物を支える面がある
ことを特徴とする、請求項２０に記載のワイヤメッシュ加熱体併設電子レンジ。
【請求項２４】
前記第二載置板に配置されて、前記電子レンジ空洞で回転するように調整されるキャスターを備える
ことを特徴とする、請求項２０に記載のワイヤメッシュ加熱体併設電子レンジ。
【国際調査報告】
2017535034.tif 000028